(57)【要約】【課題】光ディスク装置において、ＬＬＰ信号を正確に読み取り、アドレス情報を正確に得ることにある。【解決手段】メインビームによってグルーブを照射すると共に、第１サイドビームによって前記グルーブのアドレス情報が記録されたランドをメインビームより前方で照射し、第２サイドビームによって前記グルーブの隣のアドレス情報が記録された第２ランドをメインビームより後方で照射し、光ディスクの記録及び／又は再生を行う３ビーム方式の光ディスク装置において、メインビームより前方で第１ランドを照射する第１サイドビームの反射光からＬＬＰ信号を抽出するＬＬＰ検出部１８と、抽出されたＬＬＰ信号に基づいてアドレス情報を算出するＭＰＵ２０とを備え、アドレス情報を先読みする。【選択図】　　　図４
2004134032.tif 000002
【特許請求の範囲】
【請求項１】
メインビームによってグルーブを照射すると共に、第１サイドビームによって前記グルーブのアドレス情報が記録された第１ランドを前記メインビームより前方で照射し、第２サイドビームによって前記グルーブの隣のアドレス情報が記録された第２ランドを前記メインビームより後方で照射し、光ディスクの記録及び／又は再生を行う３ビーム方式の光ディスク装置において、
前記メインビームより前方で前記第１ランドを照射する第１サイドビームの反射光からＬＬＰ信号を抽出し、抽出された前記ＬＬＰ信号に基づいてアドレス情報を算出し、アドレス情報を先読みすることを特徴とする光ディスク装置。
【請求項２】
メインビームによってグルーブを照射すると共に、第１サイドビームによって前記グルーブのアドレス情報が記録された第１ランドを照射し、第２サイドビームによって前記グルーブの隣のアドレス情報が記録された第２ランドを照射し、光ディスクの記録及び／又は再生を行う３ビーム方式の光ディスク装置において、
前記第１サイドビームの反射光からＬＬＰ信号を抽出するＬＬＰ抽出手段と、前記ＬＬＰ抽出手段で抽出された前記ＬＬＰ信号に基づいてアドレス情報を算出するアドレス算出手段と、
を備えたことを特徴とする光ディスク装置。
【請求項３】
前記第１サイドビームは、前記メインビームよりも前方で前記第１ランドを照射し、前記第２サイドビームは、前記メインビームよりも後方で前記第２ランドを照射する、請求項２に記載の光ディスク装置。
【発明の詳細な説明】
【０００１】
【発明の属する技術分野】
本発明は、光ディスク装置、特に、ＤＶＤ−ＲＷ方式の光ディスクを記録及び／又は再生する光ディスク装置に関する。
【０００２】
【従来の技術】
図１は、ＤＶＤ−ＲＷ方式の光ディスクの記録面の拡大図である。ＤＶＤ−ＲＷ方式の光ディスクの表面には、グルーブＧｒ１とランドＬａ１又はＬａ２とが交互に形成されている。グルーブＧｒ１は、画像又は音声のデータの記録又は再生に使用されるピットＰを有している。各ランドＬａ１，Ｌａ２には、各ランドＬａ１，Ｌａ２の左側のグルーブのアドレス情報を表すランドプリピットＬＬＰ１，ＬＬＰ２が埋め込まれている。即ち、ランドＬａ１に埋め込まれているランドプリピットＬＬＰ１は、ランドＬａ１の左側のグルーブＧｒ１のアドレス情報を表す。ランドＬａ２に埋め込まれているランドプリピットＬＬＰ２は、ランドＬａ２の左側のグルーブ（図示せず）のアドレス情報を表す。
【０００３】
３ビーム方式の光ディスク装置では、メインビームＬ１がグルーブＧｒ１上に照射されると共に、サイドビームＬ２，Ｌ３がそれぞれグルーブＧｒ１の両側のランドＬａ１，Ｌａ２に沿って照射される。この例では、メインビームＬ１及びサイドビームＬ２，Ｌ３は、紙面の下から上に向かって走査されるものとする。
光ディスク装置は、メインビームＬ１の反射光に基づく検出信号Ｓ３から、ピットＰに基づくＲＦ信号、グルーブ及びランドのうねり（ウォブル）に基づくウォブル信号、ランドプリピットＬＬＰ１，ＬＬＰ２に基づくＬＬＰ信号（ＬＬＰ１信号及びＬＬＰ２信号）を読み取る。グルーブＧｒ１のアドレス情報は、ランドプリピットＬＬＰ１に基づくＬＬＰ１信号を検出し、ＬＬＰ１信号を演算することによって求める。
【０００４】
サイドビームＬ２は、グルーブＧｒ１の右側のランドＬａ１に沿って、メインビームＬ１より前方に照射される。サイドビームＬ３は、グルーブＧｒ１の左側のランドＬａ２に沿って、メインビームＬ１より後方に照射される。サイドビームＬ２，Ｌ３の反射光は、メインビームＬ１がグルーブＧｒ１上を正確にトラッキングされているか否かを判断するために使用される。
【０００５】
従来の３ビーム方式の光ディスク装置は、例えば、特開２００１−２６６３５２号公報、特開平７−３１１９６２号公報、特開２００２−８２４２号公報に記載されている。
（１）特開２００１−２６６３５２号公報に記載されている光ディスク装置では、図２に示すように、メインビームＬ１の反射光を左右の２つの領域に分割して受光している。そして、右領域からの検出信号Ｓ３１と左領域からの検出信号Ｓ３２との差を取り、プッシュプル信号を算出する。検出信号Ｓ３１及びＳ３２の差を取ることにより同位相のＲＦ信号が相殺され、プッシュプル信号には、図３に示すように、ウォブル信号とＬＬＰ１信号，ＬＬＰ２信号とが含まれる。このプッシュプル信号から、閾値（Ａ）を用いて右側のランドプリピットＬＬＰ１に基づくＬＬＰ１信号を抽出し、閾値（Ｂ）を用いて左側のランドプリピットＬＬＰ２に基づくＬＬＰ２信号を抽出し、閾値（Ｃ）を用いてウォブル信号を抽出する。そして、グルーブＧｒ１のアドレス情報は、右側のランドプリピットＬＬＰ１に基づくＬＬＰ１信号から算出する。
（２）特開平７−３１１９６２号公報に記載の光ディスク装置では、メインビームＬ１とサイドビームＬ２，Ｌ３との差を取ることにより、メインビームＬ１の検出信号からクロストークの影響を相殺している。
（３）特開２００２−８２４２号公報に記載されている光ディスク装置では、サイドビームＬ２，Ｌ３の検出信号をｋ倍し、メインビームＬ１の検出信号から差し引くことによって、クロストークの影響を低減している。
【０００６】
【発明が解決しようとする課題】
（１）特開２００１−２６６３５２号公報に記載されている光ディスク装置では、検出信号Ｓ３１と検出信号Ｓ３２とを差し引き、ＲＦ信号を相殺して、プッシュプル信号を生成するが、プッシュプル信号に高周波のノイズが含まれる場合があり、閾値（Ａ）によってＬＬＰ１信号を正確に検出することが困難になるおそれがある。
【０００７】
図１に示すように、ランドプリピットＬＬＰ１は、メインビームＬ１のサイドビューしか通らないため、プッシュプル信号に含まれるＬＬＰ１信号は振幅が小さく、ノイズの影響を受けやすい。特に、記録済みの光ディスクの場合、記録した信号に埋もれてＳ／Ｎ比が悪化するおそれがある。
（２）特開平７−３１１９６２号公報に記載の光ディスク装置では、サイドビームＬ２，Ｌ３を利用してメインビームＬ１からクロストークの影響を相殺しているが、ＬＬＰ信号の検出についての記載はない。
（３）特開２００２−８２４２号公報に記載されている光ディスク装置でも、サイドビームＬ２，Ｌ３を利用してメインビームＬ１からクロストークの影響を相殺しているが、ＬＬＰ信号の検出についての記載はない。
【０００８】
本発明の目的は、光ディスク装置において、ＬＬＰ信号を正確に読み取り、アドレス情報を正確に得ることにある。
【０００９】
【課題を解決するための手段】
第１発明に係る光ディスク装置は、メインビームによってグルーブを照射すると共に、第１サイドビームによって前記グルーブのアドレス情報が記録された第１ランドをメインビームより前方で照射し、第２サイドビームによって前記グルーブの隣のアドレス情報が記録された第２ランドをメインビームより後方で照射し、光ディスクの記録及び／又は再生を行う３ビーム方式の光ディスク装置において、以下の特徴を有する。
【００１０】
即ち、メインビームより前方で第１ランドを照射する第１サイドビームの反射光からＬＬＰ信号を抽出し、抽出されたＬＬＰ信号に基づいてアドレス情報を算出し、アドレス情報を先読みする。
この光ディスク装置では、メインビームからＬＬＰ信号を抽出するのではなく、アドレス情報が記録された第１ランドを照射する第１サイドビームでＬＬＰ信号を読み取るので、ＬＬＰ信号が他の信号に埋もれることなく、ＬＬＰ信号を正確に読み取ることができる。また、このＬＬＰ信号に基づいてアドレス情報を算出するので、アドレス情報を正確に得ることができる。
【００１１】
また、この光ディスク装置では、メインビームより前方の第１サイドビームによってＬＬＰ信号を読み取り、アドレス情報を先読みするので、メインビームによる記録又は再生のための処理時間に余裕ができる。
第２発明に係る光ディスク装置は、メインビームによってグルーブを照射すると共に、第１サイドビームによって前記グルーブのアドレス情報が記録された第１ランドを照射し、第２サイドビームによって前記グルーブの隣のアドレス情報が記録された第２ランドを照射し、光ディスクの記録及び／又は再生を行う３ビーム方式の光ディスク装置において、ＬＬＰ抽出手段とアドレス算出手段とを備えている。ＬＬＰ抽出手段は、第１サイドビームの反射光からＬＬＰ信号を抽出する。アドレス算出手段は、ＬＬＰ抽出手段で抽出されたＬＬＰ信号に基づいてアドレス情報を算出する。
【００１２】
この光ディスク装置では、メインビームからＬＬＰ信号を抽出するのではなく、アドレス情報が記録された第１ランドを照射する第１サイドビームでＬＬＰ信号を読み取るので、ＬＬＰ信号が他の信号に埋もれることなく、ＬＬＰ信号を正確に読み取ることができる。また、このＬＬＰ信号に基づいてアドレス情報を算出するので、アドレス情報を正確に得ることができる。
【００１３】
第３発明に係る光ディスク装置は、第２発明に係る光ディスク装置において、第１サイドビームは、メインビームよりも前方で第１ランドを照射し、第２サイドビームは、メインビームよりも後方で第２ランドを照射する。
この場合、第１サイドビームはメインビームよりも前で照射される。即ち、メインビームよりも前方の第１サイドビームによってＬＬＰ信号を読み取り、アドレス情報を先読みするので、メインビームによる記録又は再生のための処理時間に余裕ができる。
【００１４】
【発明の実施の形態】
（１）構成
図４は、本実施形態例に係る光ディスク装置の機能ブロック図である。この光ディスク装置は、ＤＶＤ−ＲＷ方式で光ディスクの記録及び再生用であり、図１に示すグルーブ及びランドが形成された光ディスクの記録及び再生を行う。
【００１５】
この光ディスク装置は、光ピックアップ１０と、記録部１１と、メモリ制御部１２と、ＲＦ再生部１４と、ウォルブ検出部１５と、フォーカスエラー検出部１６と、トラッキングエラー検出部１７と、ＬＬＰ検出部１８と、駆動制御部１９と、ＭＰＵ２０と、スピンドルモータ２１とを主に備えている。
光ピックアップ１０は、レーザダイオードとフォトエディテクタとを有しており、レーザダイオードからのレーザ光を光ディスク上に照射し、その反射光をフォトディテクタで検出する。この光ピックアップ１０は、３ビーム方式であり、図１に示すように、レーザダイオードからのレーザ光をメインビームＬ１と、サブビームＬ２，Ｌ３に分割して光ディスク上に照射する。
【００１６】
記録部１１は、メモリ制御部１２から受け取った記録データに基づいて、光ピックアップ１０のレーザダイオードを駆動し、光ディスクにデータを記録する。メモリ制御部１２は、記録部１１、ＲＦ再生部１４及びバス１３に接続されており、バス１３から受け取った記録データを記録部１１に出力すると共に、ＲＦ再生部１４から受け取る再生データをバス１３に出力する。
【００１７】
ＲＦ再生部１４は、光ピックアップ１０からメインビームＬ１による検出信号を受信し、ＲＦ信号を抽出し、ＲＦ信号を再生信号に復号する。
ウォルブ検出部１５は、メインビームＬ１の左右各領域の検出信号の差分からプッシュプル信号を生成し、プッシュプル信号からウォルブ信号を抽出する。
フォーカスエラー検出部１６は、例えば、メインビームＬ１を４分割した各領域の検出信号を加算及び減算し、フォーカスエラーを算出する。
【００１８】
トラッキングエラー検出部１７は、メインビームＬ１の左右各領域の検出信号の差分、サブビームＬ２の左右各領域の検出信号の差分、サブビームＬ３の左右各領域の検出信号の差分を算出し、メインビームＬ１の差分からサブビームＬ２及びＬ３の差分を減算し、トラッキングエラーを算出する。
ＬＬＰ検出部１８は、サブビームＬ２による検出信号からＬＬＰ信号を抽出する。ここで、サブビームＬ２はランドプリピットＬＬＰ１上を通過するので、サブビームＬ２による検出信号は、図５に示すように、ＬＬＰ１信号が他の信号やノイズなどに埋もれることなく現れる。従って、サブビームＬ２による検出信号からノイズ成分を除去し、ＬＬＰ信号を取り出すことにより、メインビームＬ１による検出信号からＬＬＰ信号を取り出す場合よりも精度良くＬＬＰ信号を取り出すことができる。また、ＬＬＰ検出部１８は、抽出したＬＬＰ信号をバス１３を介してＭＰＵ２０に送信する。
【００１９】
ＭＰＵ２０は、バス１３を介してメモリ制御部１２に接続されており、メモリ制御部１２を制御する。またＭＰＵ２０は、バス１３を介してＬＬＰ検出部１８に接続されており、ＬＬＰ検出部１８で抽出したＬＬＰ信号に基づいてアドレス情報を作成し、バス１３を介して駆動制御部１９にアドレス情報を出力する。
駆動制御部１９は、ウォルブ信号、フォーカスエラー、トラッキングエラー及びアドレス情報に基づいて、光ピックアップ１０を駆動し、フォーカシング及びトラッキング動作を行わせる。また駆動制御部１９は、ウォルブ信号、フォーカスエラー、トラッキングエラー及びアドレス情報に基づいて、スピンドルモータ２１を駆動し、光ディスクを回転させる。
（２）動作
この光ディスク装置では、サブビームＬ２による検出信号からＬＬＰ検出部１８においてＬＬＰ１信号を抽出し、抽出されたＬＬＰ１信号からＭＰＵ２０においてアドレス情報を作成し、駆動制御部１９に出力する。そして、駆動制御部１９は、アドレス情報と共にウォルブ信号、フォーカスエラー、トラッキングエラーに基づいて、光ピックアップ１０及びスピンドルモータ２１を駆動する。
（３）まとめ
この光ディスク装置では、メインビームＬ１による検出信号からＬＬＰ１信号を抽出するのではなく、ランドプリピットＬＬＰ１上を走査するサイドビームＬ２による検出信号からＬＬＰ検出部１８においてＬＬＰ１信号を抽出するので、ＬＬＰ信号が他の信号やノイズに埋もれることがなく、正確にＬＬＰ信号を抽出することができる。この正確に抽出されたＬＬＰ１信号に基づいてＭＰＵ２０においてアドレス情報を作成するので、正確なアドレス情報を得ることができる。
【００２０】
また、記録済みの光ディスクからＬＬＰ１信号を読み取る場合でも、ランドプリピットＬＬＰ１上を走査するサイドビームＬ２による検出信号にはほとんどＬＬＰ１信号のみが含まれているので、ＬＬＰ信号が他の信号やノイズに埋もれることがなく、正確にＬＬＰ信号を抽出することができる。
また、メインビームＬ１よりも前方のサイドビームＬ２によってＬＬＰ１信号を読み取るため、メインビームＬ１からＬＬＰ１を読む場合よりもサイドビームＬ２が前方に進んでいる分だけアドレス情報を先読みすることになり、メインビームＬ１による記録又は再生のための処理時間に余裕ができる。
【００２１】
【発明の効果】
本発明によれば、光ディスク装置において、ＬＬＰ信号を正確に読み取り、アドレス情報を正確に得ることができる。
【図面の簡単な説明】
【図１】ＤＶＤ−ＲＷ方式の光ディスクの記録面の拡大図。
【図２】メインビームの分割を説明する図。
【図３】プッシュプル信号、ウォブル信号、ＬＬＰ信号の関係。
【図４】本実施形態例に係る光ディスク装置の機能ブロック図。
【図５】サイドビームＬ２による検出信号。
【符号の説明】
１０　光ピックアップ
１１　記録部
１２　メモリ制御部
１３　バス
１４　ＲＦ再生部
１５　ウォブル検出部
１６　フォーカスエラー検出部
１７　トラッキングエラー検出部
１８　ＬＬＰ検出部
１９　駆動制御部
２０　ＭＰＵ
２１　スピンドルモータ
【図１】
2004134032.tif 000003
【図２】
2004134032.tif 000004
【図３】
2004134032.tif 000005
【図４】
2004134032.tif 000006
【図５】
2004134032.tif 000007